(57)【特許請求の範囲】
【請求項１】
感光ドラムと、前記感光ドラムの周面からトナーを除去するためのクリーナと、前記クリーナにより除去された廃トナーを搬送するための搬送管と、を備えるドラムカートリッジと、
前記ドラムカートリッジに着脱可能な現像カートリッジであって、現像ローラを備え、前記感光ドラムに供給するためのトナーを収容するための現像カートリッジと、
前記ドラムカートリッジに着脱可能な廃トナー容器であって、前記搬送管により搬送されたトナーを収容するための廃トナー容器と、を備え、
前記廃トナー容器は、前記現像カートリッジおよび前記廃トナー容器が前記ドラムカートリッジに装着されているときに、前記現像ローラに対して前記感光ドラムの反対側に位置し、
前記現像カートリッジは、
トナーを収容する本体部と、
前記現像ローラの軸線方向と直交する直交方向に前記本体部から突出する接触部と、を備え、
前記接触部は、前記現像カートリッジおよび前記廃トナー容器が前記ドラムカートリッジに装着されているときに、前記軸線方向および前記直交方向の両方と直交する接触方向に前記廃トナー容器と接触し、前記廃トナー容器に対して前記直交方向にスライド移動可能なことを特徴とする、プロセスカートリッジ。
【請求項２】
前記接触部は、前記現像カートリッジおよび前記廃トナー容器が前記ドラムカートリッジに装着されているときに、前記廃トナー容器と接触するコロを備えることを特徴とする、請求項１に記載のプロセスカートリッジ。
【請求項３】
前記廃トナー容器は、前記現像カートリッジおよび前記廃トナー容器が前記ドラムカートリッジに装着されているときに、前記接触部と接触するコロを備えることを特徴とする、請求項１に記載のプロセスカートリッジ。
【請求項４】
前記廃トナー容器は、前記接触方向に突出し、前記現像カートリッジおよび前記廃トナー容器が前記ドラムカートリッジに装着されているときに、前記接触部と接触する第１突起を備えることを特徴とする、請求項１〜３のいずれか一項に記載のプロセスカートリッジ。
【請求項５】
前記接触部は、前記接触方向に突出し、前記現像カートリッジおよび前記廃トナー容器が前記ドラムカートリッジに装着されているときに、前記廃トナー容器と接触する第２突起を備えることを特徴とする、請求項１〜４のいずれか一項に記載のプロセスカートリッジ。
【請求項６】
前記現像カートリッジは、前記ドラムカートリッジに装着された状態で、前記現像ローラが前記感光ドラムと接触する接触位置と、前記現像ローラが前記感光ドラムから離間する離間位置との間を、前記直交方向に沿って移動可能であることを特徴とする、請求項１〜５のいずれか一項に記載のプロセスカートリッジ。
【請求項７】
前記現像カートリッジは、
第１側壁と、
前記軸線方向において前記第１側壁と反対側の第２側壁と、を備え、
前記廃トナー容器は、
第３側壁と、
前記軸線方向において、前記第３側壁と反対側の第４側壁と、を備え、
前記第３側壁は、前記現像カートリッジおよび前記廃トナー容器が前記ドラムカートリッジに装着されているときに、前記軸線方向において、前記第１側壁に対して、前記第２側壁の反対側に位置し、
前記廃トナー容器は、前記現像カートリッジおよび前記廃トナー容器が前記ドラムカートリッジに装着されているときに、
前記軸線方向において、前記第１側壁と前記第４側壁との間に配置される第１部分と、
前記軸線方向において、前記第１側壁と前記第３側壁との間に配置される第２部分と、
を有することを特徴とする、請求項１〜６のいずれか一項に記載のプロセスカートリッジ。
【請求項８】
前記搬送管は、前記現像カートリッジおよび前記廃トナー容器が前記ドラムカートリッジに装着されているときに、前記第２部分に接続されることを特徴とする、請求項７に記載のプロセスカートリッジ。
【請求項９】
前記現像カートリッジは、
第１側壁と、
前記現像ローラの軸線方向において前記第１側壁と反対側の第２側壁と、を備え、
前記第１側壁は、前記現像カートリッジが前記ドラムカートリッジに装着されているときに、前記搬送管と前記第２側壁との間に位置し、
前記ドラムカートリッジは、
前記搬送管が延びる方向に沿って延びる第５側壁であって、前記現像カートリッジが前記ドラムカートリッジに装着されているときに、前記軸線方向において、前記第１側壁に対して、前記第２側壁の反対側に位置するように設けられる第５側壁と、
前記搬送管が延びる方向に沿って延びる第６側壁であって、前記現像カートリッジが前記ドラムカートリッジに装着されているときに、軸線方向において、前記第５側壁に対して、前記第１側壁の反対側に位置するように設けられる第６側壁と、
前記第５側壁と前記第６側壁とを連結する連結壁であって、前記廃トナー容器が前記ドラムカートリッジに装着されているときに、前記搬送管が延びる方向において、前記廃トナー容器の一部と向かい合い、前記廃トナー容器を位置決めするように構成される連結壁と、を備えることを特徴とする、請求項１〜６のいずれか一項に記載のプロセスカートリッジ。
【請求項１０】
前記廃トナー容器は、前記現像カートリッジおよび前記廃トナー容器が前記ドラムカートリッジに装着されているときに、前記現像カートリッジを前記感光ドラムに向けて押圧するばねを備えることを特徴とする、請求項１〜９のいずれか一項に記載のプロセスカートリッジ。
【請求項１１】
開口を有する装置本体と、
請求項１〜１０のいずれか一項に記載のプロセスカートリッジであって、前記開口を介して、前記直交方向に前記装置本体に着脱されるプロセスカートリッジと、を備えることを特徴とする、画像形成装置。
【請求項１２】
前記開口を開放する開位置と、前記開口を閉鎖する閉位置との間を移動可能なカバーと、
前記カバーが閉位置にあり、かつ、前記プロセスカートリッジが前記装置本体に装着されているときに、前記プロセスカートリッジを押圧するばね部材と、を備えることを特徴とする、請求項１１に記載の画像形成装置。
【請求項１３】
前記ばね部材は、
前記現像カートリッジを前記感光ドラムに向けて押圧する第１ばね部材と、
前記廃トナー容器を前記ドラムカートリッジに向けて押圧する第２ばね部材とを、備えることを特徴とする、請求項１２に記載の画像形成装置。
【発明の詳細な説明】
【技術分野】
【０００１】
本発明は、プロセスカートリッジおよび画像形成装置に関する。
【背景技術】
【０００２】
従来より、画像形成装置に対して着脱可能なプロセスカートリッジが知られている。プロセスカートリッジは、感光ドラムと、感光ドラムに接触する現像ローラと、を備える。このようなプロセスカートリッジにおいて、用紙に画像を転写した後に、感光ドラムの周面に残るトナーを除去することが望まれる。
【０００３】
例えば、プロセスカートリッジは、感光ドラムの周面からトナーを除去するためのクリーナと、クリーナにより除去されたトナーを収容するための廃トナー容器と、クリーナと廃トナー容器とを接続する搬送管と、を備える。廃トナー容器は、現像ローラに対して感光ドラムの反対側に配置される（例えば、特許文献１参照）。
【先行技術文献】
【特許文献】
【０００４】
【特許文献１】特開２０１１−１１８０４０号公報
【発明の概要】
【発明が解決しようとする課題】
【０００５】
特許文献１に記載されるようなプロセスカートリッジにおいて、現像ローラを備える現像カートリッジおよび廃トナー容器が、感光ドラム、クリーナおよび搬送管を備えるドラムカートリッジに対して、着脱可能に構成されることが検討される。
【０００６】
この場合、感光ドラムおよび現像ローラが駆動したときに、感光ドラムと現像ローラとの安定した接触、および、感光ドラムと現像ローラとの適切な距離を確保するために、現像カートリッジがドラムカートリッジに対して相対移動可能であることが望まれる。
【０００７】
そこで、本発明の目的は、感光ドラムと現像ローラとが安定して接触することができながら、クリーナにより除去されたトナーが廃トナー容器に確実に搬送されるプロセスカートリッジおよび画像形成装置を提供することにある。
【課題を解決するための手段】
【０００８】
本発明のプロセスカートリッジは、感光ドラムと、感光ドラムの周面からトナーを除去するためのクリーナと、クリーナにより除去されたトナーを搬送するための搬送管と、を備えるドラムカートリッジと、ドラムカートリッジに着脱可能な現像カートリッジであって、現像ローラを備え、感光ドラムに供給するためのトナーを収容するための現像カートリッジと、ドラムカートリッジに着脱可能な廃トナー容器であって、搬送管により搬送されたトナーを収容するための廃トナー容器と、を備える。廃トナー容器は、現像カートリッジおよび廃トナー容器がドラムカートリッジに装着されているときに、現像ローラに対して感光ドラムの反対側に位置する。現像カートリッジは、トナーを収容する本体部と、現像ローラの軸線方向と直交する直交方向に本体部から突出する接触部と、を備える。接触部は、現像カートリッジおよび廃トナー容器がドラムカートリッジに装着されているときに、軸線方向および直交方向の両方と直交する接触方向に廃トナー容器と接触し、廃トナー容器に対して直交方向にスライド移動可能である。
【０００９】
このような構成によれば、現像カートリッジが、直交方向に本体部から突出する接触部を備える。接触部は、現像カートリッジおよび廃トナー容器がドラムカートリッジに装着されているときに、接触方向に廃トナー容器と接触し、廃トナー容器に対して直交方向にスライド移動可能である。
【００１０】
そのため、現像カートリッジおよび廃トナー容器がドラムカートリッジに装着されているときに、現像カートリッジは、直交方向において、廃トナー容器に対して安定して相対移動できる。
【００１１】
その結果、現像カートリッジおよび廃トナー容器がドラムカートリッジに装着されているときに、現像カートリッジが廃トナー容器に対して相対移動することができる。
【００１２】
従って、感光ドラムと現像ローラとが安定して接触、および、感光ドラムと現像ローラとの適切な距離を維持することができながら、クリーナにより除去されたトナーが廃トナー容器に確実に搬送される。
【発明の効果】
【００１３】
本発明のプロセスカートリッジおよび画像形成装置は、感光ドラムと現像ローラとが安定して接触することができながら、クリーナにより除去されたトナーが廃トナー容器に確実に搬送される。
【図面の簡単な説明】
【００１４】
【図１】図１は、本発明の第１実施形態の画像形成装置を示す中央断面図である。なお、図１では、プロセスカートリッジを図８のＥ−Ｅ線における断面図で示す。
【図２】図２Ａは、図１に示す現像カートリッジおよび廃トナー容器であって、図３のＡ−Ａ線における断面図である。図２Ｂは、図１に示す現像カートリッジおよび廃トナー容器であって、図３のＢ−Ｂ線における断面図である。
【図３】図３は、図１に示す現像カートリッジの平面図である。
【図４】図４は、図１に示すドラムカートリッジであって、図５のＣ−Ｃ線における断面図である。
【図５】図５は、図４に示すドラムカートリッジの平面図である。
【図６】図６は、図１に示すプロセスカートリッジであって、図８のＤ−Ｄ線における断面図である。
【図７】図７は、図１に示すプロセスカートリッジであって、図８のＥ−Ｅ線における断面図である。
【図８】図８は、図１に示すプロセスカートリッジの平面図である。
【図９】図９は、図７に示すプロセスカートリッジにおいて、感光ドラムから現像ローラが離間した状態を示す。
【図１０】図１０は、装置本体に対するプロセスカートリッジの着脱を説明するための説明図である。
【図１１】図１１は、ドラムカートリッジに対する現像カートリッジの着脱を説明するための説明図である。
【図１２】図１２Ａは、本発明の第２実施形態における現像カートリッジおよび廃トナー容器であって、図３のＢ−Ｂ線に相当する面での断面図である。図１２Ｂは、図１２Ａに示す現像カートリッジおよび廃トナー容器であって、図３のＡ−Ａ線に相当する面での断面図である。
【図１３】図１３Ａは、本発明の第３実施形態における現像カートリッジおよび廃トナー容器であって、図３のＡ−Ａ線に相当する面での断面図である。図１３Ｂは、本発明の第４実施形態における現像カートリッジおよび廃トナー容器であって、図３のＡ−Ａ線に相当する面での断面図である。
【発明を実施するための形態】
【００１５】
１．画像形成装置１の概略
図１に示すように、画像形成装置１は、装置本体２と、装置本体２に対して着脱可能なプロセスカートリッジ３と、転写ローラ１８と、定着器３３と、を備える。
【００１６】
１．１  装置本体２
装置本体２は、開口５と、カバー６と、を有する。
【００１７】
開口５は、プロセスカートリッジ３が装置本体２に装着されているときに、装置本体２に対するプロセスカートリッジ３の着脱方向において、プロセスカートリッジ３に対して、定着器３３の反対側に位置する。
【００１８】
カバー６は、開口５を閉鎖する閉位置（図１参照）と、開口５を開放する開位置（図１０参照）との間を移動可能である。
【００１９】
１．２  プロセスカートリッジ３
プロセスカートリッジ３は、装置本体２に対して、開口５を介して、着脱可能である。プロセスカートリッジ３は、ドラムカートリッジ７と、現像カートリッジ８と、廃トナー容器２９と、を備える。
【００２０】
１．２．１  ドラムカートリッジ７
ドラムカートリッジ７は、感光ドラム１７を備える。
【００２１】
感光ドラム１７は、回転軸線Ａを中心として回転可能である。感光ドラム１７の軸線方向は、装置本体２に対するプロセスカートリッジ３の着脱方向と直交する。
【００２２】
１．２．２  現像カートリッジ８
現像カートリッジ８は、ドラムカートリッジ７に対して、着脱可能である。現像カートリッジ８は、感光ドラム１７に供給するためのトナーを収容する。現像カートリッジ８は、プロセスカートリッジ３が装置本体２に装着されているときに、着脱方向において、感光ドラム１７に対して、定着器３３の反対側に位置する。なお、プロセスカートリッジ３は、装置本体２に対して、ドラムカートリッジ７に対する現像カートリッジ８の着脱方向において、開口５を介して着脱可能である。
【００２３】
現像カートリッジ８は、トナー収容部２８と、第１アジテータ６８と、第２アジテータ６９と、現像ローラ２５と、を備える。
【００２４】
トナー収容部２８は、本体部３５と、接触部３６と、を備える。
【００２５】
本体部３５は、着脱方向において、現像ローラ２５に対して、感光ドラム１７の反対側に位置する。本体部３５は、トナーを収容する。
【００２６】
接触部３６は、着脱方向において、本体部３５に対して、現像ローラ２５の反対側に位置する。接触部３６は、着脱方向において、本体部３５から突出する。言い換えると、
接触部３６は、現像ローラ２５の軸線方向と直交する直交方向に本体部３５から突出する。接触部３６は、本体部３５と連通している。
【００２７】
第１アジテータ６８は、トナー収容部２８の本体部３５の内部に位置する。第１アジテータ６８は、本体部３５内のトナーを撹拌する。
【００２８】
第２アジテータ６９は、トナー収容部２８の接触部３６の内部に位置する。第２アジテータ６９は、接触部３６内のトナーを撹拌する。そして、第２アジテータ６９は、接触部３６から本体部３５にトナーを供給する。
【００２９】
現像ローラ２５は、感光ドラム１７に接触する。現像ローラ２５は、トナー収容部２８内のトナーを感光ドラム１７に供給する。
【００３０】
１．２．３  廃トナー容器２９
廃トナー容器２９は、感光ドラム１７から除去されたトナーを収容する。廃トナー容器２９は、ドラムカートリッジ７に対して、着脱可能である。
【００３１】
１．３  転写ローラ１８
転写ローラ１８は、感光ドラム１７と接触する。転写ローラ１８は、感光ドラム１７に担持されるトナー像を、用紙Ｐに転写する。
【００３２】
１．４  定着器３３
定着器３３は、プロセスカートリッジ３が装置本体２に装着されているときに、着脱方向において、プロセスカートリッジ３に対して、カバー６の反対側に位置する。定着器３３は、用紙Ｐに転写されたトナー像を、用紙Ｐに定着させる。
【００３３】
２．現像カートリッジ８の詳細
２．１  トナー収容部２８
トナー収容部２８は、図２Ａおよび図３に示すように、第１側壁２８Ａと、第２側壁２８Ｂと、を備える。
【００３４】
第１側壁２８Ａと第２側壁２８Ｂとは、軸線方向において、互いに間隔を隔てて位置する。第１側壁２８Ａは、軸線方向において、トナー収容部２８の一端部に位置する。第１側壁２８Ａは、着脱方向において、現像ローラ２５に近い一端と、現像ローラ２５から遠い他端と、を有する。第２側壁２８Ｂは、軸線方向において、トナー収容部２８の他端部に位置する。つまり、第２側壁２８Ｂは、軸線方向において、第１側壁２８Ａと反対側に位置する。第２側壁２８Ｂは、着脱方向において、現像ローラ２５に近い一端と、現像ローラ２５から遠い他端と、を有する。
【００３５】
トナー収容部２８において、第１側壁２８Ａの一端と、第２側壁２８Ｂの一端との間が、本体部３５である。また、第１側壁２８Ａの他端と、第２側壁２８Ｂの他端との間が、接触部３６である。
【００３６】
２．２  現像ローラ２５
現像ローラ２５は、軸線方向に延びる。現像ローラ２５の一部は、現像カートリッジ８から露出している。現像ローラ２５は、シャフト２５Ａと、ローラ本体２５Ｂと、を備える。
【００３７】
シャフト２５Ａは、軸線方向に沿って延びる。シャフト２５Ａは、円柱形状を有する。シャフト２５Ａの一端は、第１側壁２８Ａに支持される。シャフト２５Ａの一端は、軸線方向において、第１側壁２８Ａよりも突出する。シャフト２５Ａの他端は、第２側壁２８Ｂに支持される。シャフト２５Ａの他端は、軸線方向において、第２側壁２８Ｂよりも突出する。
【００３８】
ローラ本体２５Ｂは、シャフト２５Ａの周囲に設けられる。ローラ本体２５Ｂは、トナーを担持するための周面を有する。ローラ本体２５Ｂは、シャフト２５Ａとともに回転可能である。ローラ本体２５Ｂは、トナー収容部２８の第１側壁２８Ａと第２側壁２８Ｂとの間に位置する。ローラ本体２５Ｂは、感光ドラム１７の周面に接触する。なお、ローラ本体２５Ｂは、感光ドラム１７の周面と接触せず、ジャンピング現像により、感光ドラム１７の周面にトナーを供給してもよい。
【００３９】
２．３  突起３７
第１側壁２８Ａは、図２Ｂおよび図３に示すように、２つの突起３７を有する。
【００４０】
突起３７は、第１側壁２８Ａの他端に位置する。突起３７は、着脱方向に間隔を隔てて位置する。突起３７は、軸線方向において、第２側壁２８Ｂから離れる方向に突出する。突起３７は、円柱形状を有する。
【００４１】
第２側壁２８Ｂは、第１側壁２８Ａと同様に、２つの突起３７を有する。
【００４２】
３．廃トナー容器２９の詳細
３．１  廃トナー容器２９の配置
廃トナー容器２９は、後述する搬送管２２により搬送されたトナーを収容する。廃トナー容器２９は、図２Ａに示すように、着脱方向において、トナー収容部２８の本体部３５に対して、現像ローラ２５の反対側に位置する。また、廃トナー容器２９は、着脱方向と交差する交差方向において、トナー収容部２８の接触部３６と並んでいる。好ましくは、廃トナー容器２９は、接触部３６の下方に位置する。
【００４３】
また、廃トナー容器２９は、図１に示すように、現像カートリッジ８および廃トナー容器２９がドラムカートリッジ７に装着されているときに、着脱方向において、現像ローラ２５に対して、感光ドラム１７の反対側に位置する。
【００４４】
３．２  廃トナー容器２９の構成
廃トナー容器２９の容量は、トナー収容部２８の容量に対して、例えば、５％以上、好ましくは、１０％以上であり、例えば、５０％以下、好ましくは、３０％以下である。そのため、廃トナー容器２９の容量の上限が概算される。
【００４５】
廃トナー容器２９は、図２Ｂおよび図３に示すように、第３側壁２９Ａと、第４側壁２９Ｂと、第１部分７０と、第２部分７１と、オーガスクリュー７２と、シャッタ７３と、ばね７４と、を備える。
【００４６】
３．２．１  第３側壁２９Ａおよび第４側壁２９Ｂ
第３側壁２９Ａと第４側壁２９Ｂとは、軸線方向において、互いに間隔を隔てて位置する。
【００４７】
第３側壁２９Ａは、軸線方向において、廃トナー容器２９の一端部に位置する。第３側壁２９Ａは、図３および図８に示すように、現像カートリッジ８および廃トナー容器２９がドラムカートリッジ７に装着されているときに、軸線方向において、第１側壁２８Ａに対して、第２側壁２８Ｂの反対側に位置する。第３側壁２９Ａは、軸線方向において、シャフト２５Ａの一端に対して、第１側壁２８Ａの反対側に位置する。第３側壁２９Ａは、２つの突起３０を備える。
【００４８】
２つの突起３０は、着脱方向に互いに間隔を隔てて位置する。突起３０は、第３側壁２９Ａから突出する。突起３０は、軸線方向において、第１側壁２８Ａに対して、第２側壁２８Ｂと反対側に突出する。
【００４９】
第４側壁２９Ｂは、軸線方向において、廃トナー容器２９の他端部に位置する。第４側壁２９Ｂは、軸線方向において、第１側壁２８Ａに対して、第３側壁２９Ａと反対側に位置する。第４側壁２９Ｂは、第３側壁２９Ａと同様に、２つの突起３０を備える。
【００５０】
３．２．２  第１部分７０
第１部分７０は、現像カートリッジ８および廃トナー容器２９がドラムカートリッジ７に装着されているときに、軸線方向において、第１側壁２８Ａと第４側壁２９Ｂとの間に配置される。第１部分７０は、図２Ａおよび図３に示すように、着脱方向において、トナー収容部２８の本体部３５と重なる。また、第１部分７０は、交差方向において、トナー収容部２８の接触部３６と重なる。
【００５１】
３．２．３  第２部分７１
第２部分７１は、図３および図８に示すように、現像カートリッジ８および廃トナー容器２９がドラムカートリッジ７に装着されているときに、軸線方向において、第１側壁２８Ａと第３側壁２９Ａとの間に配置される。
【００５２】
第２部分７１は、軸線方向において、第１側壁２８Ａよりも突出する。また、第２部分７１は、軸線方向において、シャフト２５Ａの一端よりも突出する。第２部分７１は、第１部分７０と連通している。第２部分７１は、図２Ｂおよび図３に示すように、第１端面と、着脱方向において第１端面と反対側の第２端面と、を有する。第１端面は、第２端面よりも現像ローラ２５の近くに位置する。第２部分７１は、受入筒７６を備える。
【００５３】
受入筒７６は、着脱方向において、第２部分７１の第１端面から第２端面に向かって延びる。受入筒７６は、円筒形状を有する。受入筒７６は、一端部と、着脱方向において一端部と反対側の他端部と、を有する。受入筒７６の一端部は、開放されている。受入筒７６の他端部は、閉鎖されている。受入筒７６は、受入口７７を備える。
【００５４】
受入口７７は、廃トナー容器２９がトナーを受け入れるための口である。受入口７７は、図２Ｂに示すように、交差方向において、シャッタ７３に対して、トナー収容部２８の接触部３６と反対側の受入筒７６の周面にあり、受入筒７６の周面を貫通する。好ましくは、受入口７７は、受入筒７６の下端部の周面を貫通する。
【００５５】
３．２．４  オーガスクリュー７２
オーガスクリュー７２は、図２Ａおよび図２Ｂに示すように、第１部分７０および第２部分７１の内部に位置する。オーガスクリュー７２は、軸線方向に延びる。軸線方向において、オーガスクリュー７２の一端は、第４側壁２９Ｂに回転可能に支持される。オーガスクリュー７２の他端は、図示しないが、第３側壁２９Ａに回転可能に支持される。オーガスクリュー７２の他端は、交差方向において、受入口７７と向かい合う。オーガスクリュー７２は、受入口７７から第２部分７１に流入したトナーを、第２部分７１から第１部分７０に向けて搬送する。
【００５６】
３．２．５  シャッタ７３およびばね７４
シャッタ７３は、図２Ｂに示すように、受入筒７６内に位置する。シャッタ７３は、着脱方向に沿って、受入口７７を閉鎖する閉鎖位置（図２Ｂ参照）と、受入口７７を開放する開放位置（図７参照）との間を、移動可能である。
【００５７】
ばね７４は、シャッタ７３と、受入筒７６の他端部の内面との間に位置する。ばね７４は、シャッタ７３を常には、閉鎖位置に位置するように、付勢する。
【００５８】
３．３  現像カートリッジ８が廃トナー容器２９に対してスライド移動するための構成
廃トナー容器２９は、図２Ｂおよび図３に示すように、２つのコロ８７、第１支持部８８Ａ、第２支持部８８Ｂ、および、２つのばね８９を、さらに備える。
【００５９】
２つのコロ８７は、軸線方向に互いに間隔を隔てて位置する。コロ８７は、図２Ａに示すように、廃トナー容器２９の第１部分７０から、接触部３６に向かって突出する。コロ８７は、第１部分７０に回転可能に支持されている。コロ８７は、図２Ａおよび図６に示すように、現像カートリッジ８および廃トナー容器２９がドラムカートリッジ７に装着されているときに、トナー収容部２８の接触部３６と接触する。
【００６０】
第１支持部８８Ａと第２支持部８８Ｂとは、図３に示すように、軸線方向において、互いに間隔を隔てて位置する。
【００６１】
第１支持部８８Ａは、図２Ｂに示すように、第２部分７１から、トナー収容部２８の接触部３６に向かって延びる。第１支持部８８Ａは、軸線方向において、第１側壁２８Ａと並ぶ。第１支持部８８Ａは、第１部９１と、第２部９２と、連結部９３と、を有する。
【００６２】
第１部９１と第２部９２とは、着脱方向において、互いに間隔を隔てて位置する。長手方向において、第１部９１と第２部９２間の寸法は、２つの突起３７間の寸法よりも、大きい。
【００６３】
第１部９１は、着脱方向において、２つの突起３７と現像ローラ２５との間に位置する。第１部９１は、交差方向に延びる。第１部９１は、第２部分７１と連続する一端と、一端と反対であり、第２部分７１から遠い他端と、を有する。
【００６４】
第２部９２は、着脱方向において、２つの突起３７に対して、現像ローラ２５の反対側に位置する。第２部９２は、第２部分７１と連続する一端と、一端と反対であり、第２部分７１から遠い他端と、を有する。
【００６５】
連結部９３は、第１部９１の他端と、第２部９２の他端とを連結する。連結部９３は、交差方向において、２つの突起３７に対して、第２部分７１の反対側に位置する。連結部９３は、着脱方向に延びる。
【００６６】
第２支持部８８Ｂは、図２Ａおよび図２Ｂに示すように、第１支持部８８Ａと同じ形状を有する。
【００６７】
２つのばね８９は、図２Ａおよび図３に示すように、軸線方向において、互いに間隔を隔てて位置する。ばね８９は、第１部分７０と、トナー収容部２８の本体部３５との間に位置する。ばね８９は、図６に示すように、現像カートリッジ８および廃トナー容器２９がドラムカートリッジ７に装着されているときに、現像カートリッジ８を感光ドラム１７に向けて押圧する。
【００６８】
こうして、現像カートリッジ８と、廃トナー容器２９とは、着脱方向において、相対移動可能に接続されている。トナー収容部２８の接触部３６は、図６および図９に示すように、現像カートリッジ８および廃トナー容器２９がドラムカートリッジ７に装着されているときに、軸線方向および直交方向の両方と直交する接触方向に廃トナー容器２９と接触する。詳しくは後述するが、トナー収容部２８の接触部３６は、廃トナー容器２９に対して直交方向にスライド移動可能である。
【００６９】
４．ドラムカートリッジ７の詳細
４．１  側壁４０Ａ、側壁４０Ｂおよび底壁４１
ドラムカートリッジ７は、図４および図５に示すように、側壁４０Ａと、側壁４０Ｂと、底壁４１と、を備える。
【００７０】
側壁４０Ａと側壁４０Ｂとは、感光ドラム１７の軸線方向に、互いに間隔を隔てて位置する。側壁４０Ａおよび側壁４０Ｂは、着脱方向に延びる。側壁４０Ａおよび側壁４０Ｂは、板形状を有する。側壁４０Ａは、感光ドラム１７の軸線方向における一端を支持する。側壁４０Ｂは、感光ドラム１７の軸線方向における他端を支持する。
【００７１】
側壁４０Ａは、第１現像ガイド４５を有する。
【００７２】
第１現像ガイド４５は、着脱方向において、感光ドラム１７に対して、後述するクリーナ２１の反対側に位置する。第１現像ガイド４５は、着脱方向に沿って延びる。第１現像ガイド４５は、着脱方向において、感光ドラム１７に対して、後述するクリーナ２１の反対側に向かって開放される。
【００７３】
側壁４０Ｂは、図５および図６に示すように、第２現像ガイド４６を有する。
【００７４】
第２現像ガイド４６は、第１現像ガイド４５と同じ形状を有する。
【００７５】
第１現像ガイド４５は、図７および図８に示すように、現像カートリッジ８がドラムカートリッジ７に装着されているときに、現像ローラ２５のシャフト２５Ａの一端を受け入れる。第１現像ガイド４５は、ドラムカートリッジ７に対する現像カートリッジ８の着脱において、現像ローラ２５を案内する。
【００７６】
第２現像ガイド４６は、図６および図８に示すように、現像カートリッジ８がドラムカートリッジ７に装着されているときに、現像ローラ２５のシャフト２５Ａの他端を受け入れる。第２現像ガイド４６は、ドラムカートリッジ７に対する現像カートリッジ８の着脱において、現像ローラ２５を案内する。
【００７７】
こうして、現像カートリッジ８は、ドラムカートリッジ７に装着された状態で、第１現像ガイド４５および第２現像ガイド４６に沿って、現像ローラ２５が感光ドラム１７と接触する接触位置（図６参照）と、現像ローラ２５が感光ドラム１７から離間する離間位置（図９参照）との間を、直交方向に沿って移動可能である。
【００７８】
底壁４１は、図４および図５に示すように、側壁４０Ａと側壁４０Ｂとの間に位置する。底壁４１は、着脱方向に延びる。
【００７９】
４．２  感光ドラム１７
感光ドラム１７は、図６および図８に示すように、現像カートリッジ８がドラムカートリッジ７に装着されているときに、着脱方向において、後述するクリーナ２１と、現像カートリッジ８との間に位置する。感光ドラム１７は、図４および図５に示すように、円筒部１７Ａと、ドラムシャフト１７Ｂと、を備える。
【００８０】
円筒部１７Ａは、軸線方向に延びる。円筒部１７Ａは、軸線方向において、側壁４０Ａと側壁４０Ｂとの間に位置する。
【００８１】
ドラムシャフト１７Ｂは、軸線方向に延びる。軸線方向において、ドラムシャフト１７Ｂの一端は、側壁４０Ａに回転可能に支持される。また、軸線方向において、ドラムシャフト１７Ｂの一端は、側壁４０Ａよりも突出する。軸線方向において、ドラムシャフト１７Ｂの他端は、側壁４０Ｂに回転可能に支持される。軸線方向において、ドラムシャフト１７Ｂの他端は、側壁４０Ｂよりも突出する。
【００８２】
４．３  ハンドル５８
ドラムカートリッジ７は、さらに、ハンドル５８を備える。
【００８３】
ハンドル５８は、底壁４１に、相対回転可能に支持される。ハンドル５８は、着脱方向において、感光ドラム１７から離れる方向に延びる。
【００８４】
５．ドラムカートリッジ７におけるトナーを搬送するための構成
５．１  クリーナ２１
ドラムカートリッジ７は、さらに、クリーナ２１を備える。
【００８５】
クリーナ２１は、感光ドラム１７の周面からトナーを除去する。クリーナ２１は、図６に示すように、現像カートリッジ８がドラムカートリッジ７に装着されているときに、着脱方向において、感光ドラム１７に対して、現像カートリッジ８の反対側に位置する。クリーナ２１は、図５および図６に示すように、クリーニングフレーム５０と、クリーニング部材５１と、を備える。
【００８６】
クリーニングフレーム５０は、軸線方向に延びる。クリーニングフレーム５０は、中空筒状を有する。軸線方向において、クリーニングフレーム５０の一端は、側壁４０Ａに接続される。軸線方向において、クリーニングフレーム５０の他端は、側壁４０Ｂに接続される。クリーニングフレーム５０は、図６に示すように、開口５０Ａを有する。
【００８７】
開口５０Ａは、クリーニングフレーム５０において、感光ドラム１７と向かい合う。開口５０Ａは、軸線方向に延びる。開口５０Ａは、クリーニングフレーム５０を着脱方向に貫通する。
【００８８】
クリーニング部材５１は、板形状を有する。クリーニング部材５１は、開口５０Ａの縁に固定される。クリーニング部材５１は、感光ドラム１７の周面に接触する。具体的には、クリーニング部材５１は、感光ドラム１７と転写ローラ１８との接触部分よりも感光ドラム１７の回転方向の下流の周面と接触する。
【００８９】
そして、クリーナ２１では、クリーニング部材５１が、感光ドラム１７の周面から、用紙Ｐに転写されずに残存するトナーを掻き取る。掻き取られたトナーは、開口５０Ａを介して、クリーニングフレーム５０内に受け入れられ、貯留するように構成される。なお、クリーニングフレーム５０内に貯留されたトナーは、搬送管２２を介して、後述する搬送部材５３が回転することによって、廃トナー容器２９に向けて搬送される。
【００９０】
５．２  第５側壁４２、第６側壁４３および連結壁４４
側壁４０Ａは、図５に示すように、第５側壁４２と、第６側壁４３と、連結壁４４と、を備える。
【００９１】
第５側壁４２は、後述する搬送管２２が延びる方向に沿って延びる。つまり、第５側壁４２は、着脱方向に延びる。第５側壁４２は、図８に示すように、現像カートリッジ８および廃トナー容器２９がドラムカートリッジ７に装着されているときに、軸線方向において、現像カートリッジ８の第１側壁２８Ａに対して、第２側壁２８Ｂの反対側に位置するように設けられる。第５側壁４２は、着脱方向において、感光ドラム１７に近い一端と、一端と反対であり、感光ドラム１７から遠い他端と、を有する。
【００９２】
第６側壁４３は、搬送管２２が延びる方向に沿って延びる。つまり、第６側壁４３は、着脱方向に延びる。第６側壁４３は、現像カートリッジ８および廃トナー容器２９がドラムカートリッジ７に装着されているときに、軸線方向において、第５側壁４２に対して、現像カートリッジ８の第１側壁２８Ａの反対側に位置するように設けられる。第６側壁４３は、軸線方向において、廃トナー容器２９と並ぶ。第６側壁４３は、感光ドラム１７に近い一端と、一端と反対であり、感光ドラム１７から遠い他端と、を有する。
【００９３】
連結壁４４は、第５側壁４２の他端と第６側壁４３の一端とを連結する。連結壁４４は、現像カートリッジ８および廃トナー容器２９がドラムカートリッジ７に装着されているときに、搬送管２２が延びる方向において、廃トナー容器２９の一部と向かい合う。具体的には、連結壁４４は、着脱方向において、廃トナー容器２９の第２部分７１と向かい合う。これにより、連結壁４４は、廃トナー容器２９を位置決めするように構成される。連結壁４４は、図５および図７に示すように、穴４４Ａを有する。
【００９４】
穴４４Ａは、連結壁４４を着脱方向に貫通する。
【００９５】
５．３  搬送管２２、搬送部材５３、シャッタ６５、および、ばね６６
ドラムカートリッジ７は、図４および図５に示すように、搬送管２２と、搬送部材５３と、シャッタ６５と、ばね６６と、をさらに備える。
【００９６】
５．３．１  搬送管２２
感光ドラム１７の周面から除去されたトナーは、搬送管２２の内部を通過する。こうして、搬送管２２は、クリーナ２１により除去されたトナーを搬送する。搬送管２２は、図７および図８に示すように、現像カートリッジ８がドラムカートリッジ７に装着されているときに、クリーナ２１のクリーニングフレーム５０と、廃トナー容器２９とを連結する。具体的には、搬送管２２は、現像カートリッジ８および廃トナー容器２９がドラムカートリッジ７に装着されているときに、第２部分７１に接続される。搬送管２２は、現像カートリッジ８がドラムカートリッジ７に装着されているときに、軸線方向において、現像カートリッジ８の第１側壁２８Ａに対して、第２側壁２８Ｂの反対側に位置する。言い換えると、第１側壁２８Ａは、現像カートリッジ８がドラムカートリッジ７に装着されているときに、搬送管２２と第２側壁２８Ｂとの間に位置する。
【００９７】
搬送管２２は、図４および図５に示すように、円筒形状を有する。搬送管２２は、着脱方向において、クリーニングフレーム５０から、側壁４０Ａの連結壁４４まで延びる。具体的には、搬送管２２は、第１端部２２Ａと、第２端部２２Ｂと、を有する。また、搬送管２２は、円環部６４と、排出口６３と、を有する。
【００９８】
第１端部２２Ａは、着脱方向において、感光ドラム１７に近い搬送管２２の端部である。第１端部２２Ａは、軸線方向において、クリーナ２１と重なる。第１端部２２Ａは、側壁４０Ａと接続される。第１端部２２Ａは、クリーニングフレーム５０と連通する。
【００９９】
第２端部２２Ｂは、着脱方向において、第１端部２２Ａと反対側の搬送管２２の端部である。第２端部２２Ｂは、連結壁４４の穴４４Ａに挿通されている。第２端部２２Ｂは、連結壁４４よりも、感光ドラム１７から離れる方向に突出している。
【０１００】
円環部６４は、着脱方向において、連結壁４４よりも感光ドラム１７の近くに位置する。円環部６４は、搬送管２２の周面から突出する。円環部６４は、搬送管２２の径方向に延びる。円環部６４は、円環形状を有する。
【０１０１】
排出口６３は、着脱方向において、連結壁４４に対して、感光ドラム１７よりも遠くに位置する。排出口６３は、搬送管２２の周面を貫通する。排出口６３は、好ましくは、搬送管２２の下端部の周面を貫通する。排出口６３は、トナーを排出可能である。
【０１０２】
そして、搬送管２２は、図７および図８に示すように、現像カートリッジ８および廃トナー容器２９がドラムカートリッジ７に装着されているときに、着脱方向に沿って、第２部分７１の受入筒７６に嵌まる。つまり、これにより、搬送管２２は、廃トナー容器２９の第２部分７１に接続される。このとき、搬送管２２の排出口６３と、受入筒７６の受入口７７とは、向かい合う。搬送管２２の排出口６３は、受入筒７６の受入口７７と連通する。
【０１０３】
５．３．２  搬送部材５３
搬送部材５３は、図４および図５に示すように、クリーニングフレーム５０内において、軸線方向に延びる。さらに、搬送部材５３は、搬送管２２内において、装着方向に延びる。搬送部材５３は、螺旋状を有する。搬送部材５３の一端部は、クリーニングフレーム５０における側壁４０Ｂに、搬送ギア５３Ａを介して、回転可能に支持される。搬送部材５３は、回転することで、クリーニングフレーム５０および搬送管２２内のトナーを搬送可能である。搬送部材５３の一端部と反対側の他端部は、搬送管２２の第２端部２２Ｂに回転可能に支持される。搬送部材５３の他端部は、搬送管２２の排出口６３と向かい合う。
【０１０４】
そして、搬送部材５３は、搬送ギア５３Ａが画像形成装置１の図示しない駆動源からの駆動力を受けることにより、回転する。
【０１０５】
５．３．３  シャッタ６５およびばね６６
シャッタ６５は、搬送管２２の第２端部２２Ｂの周縁を覆う。シャッタ６５は、円筒形状を有する。シャッタ６５は、搬送管２２に沿って、排出口６３を閉鎖する閉鎖位置（図４参照）と、閉鎖位置よりも、円環部６４の近くに位置し、排出口６３を開放する開放位置（図７参照）との間を、移動可能である。
【０１０６】
ばね６６は、シャッタ６５と、円環部６４との間に位置する。ばね６６の一端部はシャッタ６５と接触し、ばね６６の他端部は円環部６４と接触する。ばね６６は、シャッタ６５を、常には、閉鎖位置に向けて付勢する。
【０１０７】
５．３．４  ガイド溝６７
側壁４０Ａは、ガイド溝６７を有する。
【０１０８】
ガイド溝６７は、側壁４０Ａの第６側壁４３に設けられる。ガイド溝６７は、第６側壁４３の内、軸線方向において、側壁４０Ｂと対向する面に位置する。ガイド溝６７は、着脱方向において、感光ドラム１７に対してクリーナ２１と反対側に向かって開放されている。着脱方向におけるガイド溝６７の長さは、搬送管２２が連結壁４４の穴４４Ａから突出する長さよりも長い。
【０１０９】
側壁４０Ｂは、側壁４０Ａと同様に、ガイド溝６７を有する。
【０１１０】
５．４  支持部８４、第１ばね８５Ａおよび第２ばね８５Ｂ
カバー６は、図１に示すように、支持部８４と、ばねの一例としての第１ばね８５Ａと、ばねの一例としての第２ばね８５Ｂと、を備える。
【０１１１】
支持部８４は、プロセスカートリッジ３が装置本体２に装着されているときに、着脱方向において、プロセスカートリッジ３に向かって延びる。支持部８４は、カバー６に連続する一端と、着脱方向において、一端よりプロセスカートリッジ３に近い他端と、を有する。
【０１１２】
第１ばね８５Ａおよび第２ばね８５Ｂは、カバー６が閉位置にあり、かつ、プロセスカートリッジ３が装置本体２に装着されているときに、プロセスカートリッジ３を押圧する。
【０１１３】
具体的には、第１ばね８５Ａは、支持部８４の他端に支持される。第１ばね８５Ａは、プロセスカートリッジ３が装置本体２に装着されているときに、現像カートリッジ８と接触する。これにより、第１ばね８５Ａは、現像カートリッジ８を感光ドラム１７に向けて押圧する。
【０１１４】
第２ばね８５Ｂは、支持部８４の他端に支持される。第２ばね８５Ｂは、第１ばね８５Ａと交差方向に並ぶ。好ましくは、第２ばね８５Ｂは、第１ばね８５Ａの下方に位置する。第２ばね８５Ｂは、プロセスカートリッジ３が装置本体２に装着されているときに、廃トナー容器２９と接触する。これにより、第２ばね８５Ｂは、廃トナー容器２９をドラムカートリッジ７に向けて押圧する。
【０１１５】
そのため、第１ばね８５Ａおよび第２ばね８５Ｂは、プロセスカートリッジ３が装置本体２に装着されているときに、着脱方向において、現像カートリッジ８および廃トナー容器２９がドラムカートリッジ７に対して、離れるように移動することを抑制することができる。
【０１１６】
６．ドラムカートリッジ７に対する現像カートリッジ８および廃トナー容器２９の着脱
次いで、図７および図８を参照して、ドラムカートリッジ７に対する現像カートリッジ８の着脱について、説明する。
【０１１７】
現像カートリッジ８を、ドラムカートリッジ７に対して装着するには、ユーザは、現像カートリッジ８をドラムカートリッジ７に対して、押し込む。
【０１１８】
すると、現像ローラ２５のシャフト２５Ａの一端が、ドラムカートリッジ７の第１現像ガイド４５に案内される。また、現像ローラ２５のシャフト２５Ａの他端が、ドラムカートリッジ７の第２現像ガイド４６に案内される。
【０１１９】
こうして、現像カートリッジ８および廃トナー容器２９は、感光ドラム１７に近づく方向に移動する。
【０１２０】
このとき、図８に示すように、第３側壁２９Ａの２つの突起３０は、第６側壁４３のガイド溝６７に案内される。また、第４側壁２９Ｂの２つの突起３０が、側壁４０Ｂのガイド溝６７に案内される。
【０１２１】
すると、搬送管２２の第２端部２２Ｂは、図７に示すように、第２部分７１の受入筒７６に受け入れられる。
【０１２２】
このとき、現像カートリッジ８のシャッタ７３は、搬送管２２の第２端部２２Ｂに当接し、ドラムカートリッジ７のシャッタ６５は、第２部分７１に当接する。さらに押し込むことで、シャッタ７３は、ばね７４の付勢力に抗して、開放位置に位置する。また、シャッタ６５は、ばね６６の付勢力に抗して、開放位置に位置する。
【０１２３】
すると、搬送管２２の排出口６３と、受入筒７６の受入口７７とが向かいあう。これにより、搬送管２２の排出口６３と、受入筒７６の受入口７７とが連通する。
【０１２４】
以上により、ドラムカートリッジ７に対する現像カートリッジ８の装着が完了する。
【０１２５】
なお、ドラムカートリッジ７から現像カートリッジ８を離脱するには、ユーザは、上記した装着動作と逆に、現像カートリッジ８を操作する。
【０１２６】
次いで、図１０に示すように、現像カートリッジ８が装着されたドラムカートリッジ７、すなわちプロセスカートリッジ３を装置本体２に対して装着する。
【０１２７】
プロセスカートリッジ３を装置本体２に装着するには、ユーザは、カバー６を開位置に位置させ、開口５を開放する。
【０１２８】
次いで、ユーザは、プロセスカートリッジ３を、開口５を介して、装置本体２に対して、装着する。
【０１２９】
そして、ユーザは、図１に示すように、カバー６を閉位置に位置させる。
【０１３０】
これにより、画像形成装置１は、画像形成動作を実行可能な状態となる。
【０１３１】
また、装置本体２からプロセスカートリッジ３を離脱するには、ユーザは、図１０に示すように、ハンドル５８を把持して、上記した装着動作と逆に、プロセスカートリッジ３を操作する。
【０１３２】
また、現像カートリッジ８は、図１１に示すように、プロセスカートリッジ３が装置本体２に装着されているときであっても、ドラムカートリッジ７に対して着脱可能である。
【０１３３】
７．トナーの除去
画像形成動作において、感光ドラム１７の周面には、転写されずに残ったトナーが付着している場合がある。
【０１３４】
画像形成動作において、感光ドラム１７の周面に残存したトナーは、図６および図７に示すように、感光ドラム１７が回転することにより、クリーナ２１のクリーニング部材５１によって掻き取られる。掻き取られたトナーは、クリーニングフレーム５０内に貯留される。
【０１３５】
クリーニングフレーム５０内に貯留されたトナーは、搬送部材５３が回転することにより、クリーニングフレーム５０から搬送管２２へ搬送される。搬送管２２に搬送されたトナーは、廃トナー容器２９に向かって搬送される。
【０１３６】
搬送管２２の第２端部２２Ｂまで搬送されたトナーは、排出口６３、および、受入筒７６の受入口７７を介して、第２部分７１内に流入する。
【０１３７】
そして、第２部分７１内に流入したトナーは、オーガスクリュー７２によって、第１部分７０に向けて搬送され、第１部分７０に貯められる。
【０１３８】
以上により、トナーの搬送が完了する。
【０１３９】
８．廃トナー容器２９に対する現像カートリッジ８の相対移動
図１に示すように、現像カートリッジ８および廃トナー容器２９がドラムカートリッジ７に装着されているときに、現像カートリッジ８は、第１ばね８５Ａに付勢されることにより、位置決めされている。また、廃トナー容器２９は、第２ばね８５Ｂに付勢されることにより、位置決めされている。
【０１４０】
そして、画像形成動作が開始すると、現像カートリッジ８は、図６および図９に示すように、現像ローラ２５が感光ドラム１７と接触する接触位置と、現像ローラ２５が感光ドラム１７から離間する離間位置との間を、着脱方向に沿って移動する場合がある。
【０１４１】
すると、現像カートリッジ８は、着脱方向に沿って、廃トナー容器２９に対して、相対移動する。具体的には、現像カートリッジ８は、着脱方向において、突起３７が廃トナー容器２９の第１支持部８８Ａおよび第２支持部８８Ｂのそれぞれの第２部９２に近づくように、廃トナー容器２９に対して、相対移動する。
【０１４２】
このとき、現像カートリッジ８は、廃トナー容器２９のコロ８７の回転により、円滑に移動する。
【０１４３】
こうして、現像カートリッジ８の本体部３５は、ばね８９を圧縮するようにして、廃トナー容器２９に近づく。
【０１４４】
このように、廃トナー容器２９は、ドラムカートリッジ７に対して、相対移動せず、現像カートリッジ８のみが、ドラムカートリッジ７に対して相対移動する。
【０１４５】
そのため、感光ドラム１７の周面から除去されたトナーは、搬送管２２を介して、廃トナー容器２９に、確実に搬送される。
【０１４６】
９．作用効果
（１）このプロセスカートリッジ３によれば、図６および図９に示すように、現像カートリッジ８が、着脱方向において本体部３５から突出する接触部３６を備える。接触部３６は、現像カートリッジ８および廃トナー容器２９がドラムカートリッジ７に装着されているときに、接触方向に廃トナー容器２９と接触し、廃トナー容器２９に対して着脱方向にスライド移動可能である。
【０１４７】
そのため、現像カートリッジ８および廃トナー容器２９がドラムカートリッジ７に装着されているときに、現像カートリッジ８は、着脱方向において、廃トナー容器２９に対して安定して相対移動できる。
【０１４８】
その結果、現像カートリッジ８および廃トナー容器２９がドラムカートリッジ７に装着されているときに、現像カートリッジ８が廃トナー容器２９に対して相対移動することができる。
【０１４９】
従って、図６および図７に示すように、感光ドラム１７と現像ローラ２５とが安定して接触することができながら、クリーナ２１により除去されたトナーがドラムカートリッジ７に固定された廃トナー容器２９に確実に搬送される。
【０１５０】
また、接触部３６にもトナーが収容されることにより、現像カートリッジ８のトナー容量が増大する。
【０１５１】
（２）このプロセスカートリッジ３によれば、図２Ａおよび図２Ｂに示すように、廃トナー容器２９がコロ８７を備えるので、現像カートリッジ８は、廃トナー容器２９に対して円滑に相対移動できる。
【０１５２】
（３）このプロセスカートリッジ３によれば、図６および図９に示すように、現像カートリッジ８は、着脱方向において、廃トナー容器２９に対して相対移動できる。
【０１５３】
そのため、現像カートリッジ８および廃トナー容器２９がドラムカートリッジ７に装着されても、現像カートリッジ８は、接触位置と離間位置との間を着脱方向に沿って移動することができる。
【０１５４】
（４）このプロセスカートリッジ３によれば、図７および図８に示すように、搬送管２２は、現像カートリッジ８および廃トナー容器２９がドラムカートリッジ７に装着されているときに、第２部分７１に接続される。
【０１５５】
そのため、搬送管２２と廃トナー容器２９とが、確実に接続される。
【０１５６】
（５）このプロセスカートリッジ３によれば、図７および図８に示すように、廃トナー容器２９は、ドラムカートリッジ７に装着されているときに、連結壁４４に位置決めされる。
【０１５７】
そのため、廃トナー容器２９がドラムカートリッジ７に装着されているときに、廃トナー容器２９をドラムカートリッジ７に対してより確実に位置決め固定できる。
【０１５８】
（６）このプロセスカートリッジ３によれば、図６に示すように、ばね８９が、現像カートリッジ８を感光ドラム１７に向けて押圧する。
【０１５９】
そのため、現像ローラ２５と感光ドラム１７とが確実に接触される。
【０１６０】
（７）この画像形成装置１によれば、図１に示すように、第１ばね８５Ａおよび第２ばね８５Ｂがプロセスカートリッジ３を押圧するので、プロセスカートリッジ３を装置本体２に対して確実に位置決めできる。
【０１６１】
（８）この画像形成装置１によれば、図１に示すように、第１ばね８５Ａが現像カートリッジ８を感光ドラム１７に向けて押圧するので、現像ローラ２５が、感光ドラム１７と確実に接触できる。また、第２ばね８５Ｂが廃トナー容器２９をドラムカートリッジ７に向けて押圧するので、廃トナー容器２９が、ドラムカートリッジ７に確実に位置決めされる。
【０１６２】
１０．第２実施形態
図１２Ａおよび図１２Ｂを参照して、本発明の第２実施形態を説明する。なお、第２実施形態において、上記した第１実施形態と同様の部材には、同様の符号を付し、その説明を省略する。
【０１６３】
上記した第１実施形態では、図２Ａおよび図２Ｂに示すように、現像カートリッジ８が突起３７を備え、廃トナー容器２９が第１支持部８８Ａおよび第２支持部８８Ｂを備えている。また、廃トナー容器２９が、２つのコロ８７を備えている。
【０１６４】
これに対して、本発明の第２実施形態では、図１２Ａおよび図１２Ｂに示すように、現像カートリッジ８が第１支持部１０１Ａおよび第２支持部１０１Ｂを備え、廃トナー容器２９が、突起１０２を備える。また、現像カートリッジ８が、２つのコロ１０３を備える。
【０１６５】
具体的には、第２実施形態におけるプロセスカートリッジ３では、廃トナー容器２９は、上記した第３側壁２９Ａおよび第４側壁２９Ｂに加えて、第７側壁２９Ｃを備える。
【０１６６】
第７側壁２９Ｃは、軸線方向において、第３側壁２９Ａと第４側壁２９Ｂとの間に位置する。
【０１６７】
第１部分７０は、第４側壁２９Ｂと第７側壁２９Ｃとの間に配置される。
【０１６８】
また、第２部分７１は、廃トナー容器２９において、現像ローラ２５に近い端部よりも現像ローラ２５から離れた端部に位置する。第２部分７１は、軸線方向において、第７側壁２９Ｃから突出する。第２部分７１は、軸線方向において、第３側壁２９Ａと第７側壁２９Ｃとの間に配置される。
【０１６９】
そして、第７側壁２９Ｃは、突起１０２を有する。
【０１７０】
突起１０２は、着脱方向において、トナー収容部２８の本体部３５と、廃トナー容器２９の第２部分７１との間に位置する。突起１０２は、軸線方向において、第７側壁２９Ｃから離れる方向に突出する。
【０１７１】
第４側壁２９Ｂは、第７側壁２９Ｃと同様に、突起１０２を有する。
【０１７２】
また、現像カートリッジ８は、第１支持部１０１Ａと、第２支持部１０１Ｂと、を備える。
【０１７３】
第１支持部１０１Ａは、図１２Ａに示すように、トナー収容部２８から、廃トナー容器２９に向かって延びる。第１支持部１０１Ａは、軸線方向において、第７側壁２９Ｃと並ぶ。第１支持部１０１Ａは、第１部１０６と、第２部１０７と、を備える。
【０１７４】
第１部１０６は、着脱方向において、本体部３５から、廃トナー容器２９に向かって延びる。第１部１０６は、着脱方向に延びる。第１部１０６は、交差方向において、突起１０２に対して、接触部３６の反対側に位置する。第１部１０６は、本体部３５に連続する一端と、一端と反対であり、本体部３５から遠い他端と、を有する。
【０１７５】
第２部１０７は、交差方向において、接触部３６から、廃トナー容器２９に向かって延びる。第２部１０７は、交差方向に延びる。第２部１０７は、着脱方向において、突起１０２に対して、本体部３５の反対側に位置する。第２部１０７は、第１部１０６の他端と接続される。
【０１７６】
第２支持部１０１Ｂは、図１２Ｂに示すように、トナー収容部２８から、廃トナー容器２９に向かって延びる。第２支持部１０１Ｂは、軸線方向において、第２側壁２８Ｂと並ぶ。第２支持部１０１Ｂは、第１支持部１０１Ａと同じ形状を有する。
【０１７７】
また、接触部３６は、２つのコロ１０３を備える。
【０１７８】
２つのコロ１０３は、軸線方向に互いに間隔を隔てて位置する。コロ１０３は、トナー収容部２８の接触部３６から、第１部分７０に向かって突出する。コロ１０３は、接触部３６に回転可能に支持されている。コロ１０３は、現像カートリッジ８および廃トナー容器２９がドラムカートリッジ７に装着されているときに、廃トナー容器２９の第１部分７０と接触する。
【０１７９】
また、廃トナー容器２９は、把手１０９をさらに備える。
【０１８０】
把手１０９は、着脱方向において、第１アジテータ６８に対して、現像ローラ２５とは反対側に延びる。把手１０９は、現像カートリッジ８および廃トナー容器２９がドラムカートリッジ７に対して着脱されるときに、ユーザに把持される。
【０１８１】
これにより、第２実施形態では、上記した第１実施形態と同様に、現像カートリッジ８および廃トナー容器２９がドラムカートリッジ７に装着されているときに、トナー収容部２８の接触部３６は、廃トナー容器２９に対して着脱方向にスライド移動可能となる。
【０１８２】
この第２実施形態によれば、図１２Ａおよび図１２Ｂに示すように、トナー収容部２８の接触部３６がコロ１０３を備えるので、現像カートリッジ８は、廃トナー容器２９に対して円滑に相対移動できる。
【０１８３】
また、第２実施形態においても、上記した第１実施形態と同様の作用効果を得ることができる。
【０１８４】
１１．第３実施形態および第４実施形態
上記した第１実施形態では、図２Ａおよび図２Ｂに示すように、廃トナー容器２９が、コロ８７を備えていることにより、現像カートリッジ８が、廃トナー容器２９に対して、相対移動可能である。
【０１８５】
これに対して、本発明の第３実施形態では、廃トナー容器２９は、図１３Ａに示すように、コロ８７に代えて、第１突起１１３を備える。
【０１８６】
第１突起１１３は、接触方向において、廃トナー容器２９から、接触部３６に向かって突出する。第１突起１１３は、現像カートリッジ８および廃トナー容器２９がドラムカートリッジ７に装着されているときに、接触部３６と接触する。
【０１８７】
そして、第３実施形態では、第１突起１１３が接触部３６と摺擦することにより、上記した第１実施形態と同様に、プロセスカートリッジ３において、トナー収容部２８の接触部３６は、廃トナー容器２９に対して装着方向にスライド移動可能となる。
【０１８８】
この第３実施形態によれば、図１３Ａに示すように、廃トナー容器２９が第１突起１１３を備えるので、接触部３６と廃トナー容器２９との接触面積の低減が図られる。
【０１８９】
そのため、接触部３６が第１突起１１３と接触し、接触部３６が廃トナー容器２９に対してスライド移動したときに、接触部３６と廃トナー容器２９との摩擦が低減される。
【０１９０】
その結果、現像カートリッジ８は、廃トナー容器２９に対してより円滑に相対移動される。
【０１９１】
また、第３実施形態においても、上記した第１実施形態と同様の作用効果を得ることができる。
【０１９２】
また、上記した第３実施形態では、図１３Ａに示すように、廃トナー容器２９が第１突起１１３を備えているのに対し、本発明の第４実施形態では、図１３Ｂに示すように、トナー収容部２８の接触部３６が、第２突起１１５を備える。
【０１９３】
第２突起１１５は、接触部３６から、廃トナー容器２９に向かって突出する。第２突起１１５は、現像カートリッジ８および廃トナー容器２９がドラムカートリッジ７に装着されているときに、廃トナー容器２９と接触する。
【０１９４】
そして、第４実施形態では、第２突起１１５が廃トナー容器２９と摺擦することにより、上記した第３実施形態と同様に、プロセスカートリッジ３において、トナー収容部２８の接触部３６は、廃トナー容器２９に対して装着方向にスライド移動可能となる。
【０１９５】
この第４実施形態によれば、図１３Ｂに示すように、接触部３６が第２突起１１５を備えるので、接触部３６と廃トナー容器２９との接触面積の低減が図られる。
【０１９６】
そのため、第２突起１１５が廃トナー容器２９と接触し、接触部３６が廃トナー容器２９に対してスライド移動したときに、接触部３６と廃トナー容器２９との摩擦が低減される。
【０１９７】
その結果、現像カートリッジ８は、廃トナー容器２９に対してより一層円滑に相対移動される。
【０１９８】
また、第４実施形態においても、上記した第１実施形態と同様の作用効果を得ることができる。
【符号の説明】
【０１９９】
１      画像形成装置
２      装置本体
３      プロセスカートリッジ
５      開口
６      カバー
７      ドラムカートリッジ
８      現像カートリッジ
１７    感光ドラム
２１    クリーナ
２２    搬送管
２５    現像ローラ
２８Ａ  第１側壁
２８Ｂ  第２側壁
２９    廃トナー容器
２９Ａ  第３側壁
２９Ｂ  第４側壁
３５    本体部
３６    接触部
４２    第５側壁
４３    第６側壁
４４    連結壁
７０    第１部分
７１    第２部分
８５Ａ  第１ばね
８５Ｂ  第２ばね
８７    コロ
８９    ばね
１０３  コロ
１１３  第１突起
１１５  第２突起
【図１】
0006668893.tif 000002
【図２】
0006668893.tif 000003
【図３】
0006668893.tif 000004
【図４】
0006668893.tif 000005
【図５】
0006668893.tif 000006
【図６】
0006668893.tif 000007
【図７】
0006668893.tif 000008
【図８】
0006668893.tif 000009
【図９】
0006668893.tif 000010
【図１０】
0006668893.tif 000011
【図１１】
0006668893.tif 000012
【図１２】
0006668893.tif 000013
【図１３】
0006668893.tif 000014